(57)【要約】【課題】検知する必要のある振動を確実に検知することができ、また、振動が収まったことを迅速に検知することができる振動検知装置を提供する。【解決手段】一対の磁石２６、２７は、近接しているとき、その吸引力によって近接した状態に保持され、その吸引力に抗する振動によって一対の磁石２６、２７を互いに近接した状態から相対的に移動させたとき、一対の磁石２６、２７によって作られる磁場の変化を磁気感知手段２８が感知し、検知する必要のある振動だけを検知するようにし、また、振動によって振り子の動作をする一方の磁石２６が周期的に他方の磁石２７に近接したとき、振動が吸引力に抗し得ない状態に収まっていると、一方の磁石２６を吸引力で近接した状態に即座に保持するようにした。【選択図】図１
2004163117.tif 000002
【特許請求の範囲】
【請求項１】
地震などによる振動を検知するようにした振動検知装置において、
前記振動によって相対的に移動するように配された一対の磁石と、該一対の磁石によって作られる磁場の変化を感知する磁気感知手段とを備えた
ことを特徴とする振動検知装置。
【請求項２】
地震などによる振動を検知するようにした振動検知装置において、
互いに近接した状態になるように配された一対の磁石と、該一対の磁石によって作られる磁場の変化を感知する磁気感知手段とを備え、
前記一対の磁石は、該一対の磁石の吸引力に抗する振動によって、前記近接した状態から相対的に移動するように配されている
ことを特徴とする振動検知装置。
【請求項３】
前記一対の磁石の少なくとも一方は、前記振動によって振り子の動作をするように配されている
ことを特徴とする請求項１または２に記載の振動検知装置。
【請求項４】
前記一対の磁石の一方は、前記振動によって振り子の動作をするように配され、
前記一対の磁石の他方は、前記振り子の動作における最下点の位置に下方から対応するように配され、
前記磁気感知手段は、前記一対の磁石の他方の上方位置または下方位置に配されている
ことを特徴とする請求項１または２に記載の振動検知装置。
【請求項５】
前記一対の磁石の少なくとも一方は、前記振動によって逆さ振り子の動作または転動振り子の動作をするように配されている
ことを特徴とする請求項１または２に記載の振動検知装置。
【請求項６】
前記一対の磁石の少なくとも一方は、連結部材を介して前記振動検知装置の本体側に支持され、
前記連結部材は、吊り部材である
ことを特徴とする請求項１〜５の何れかに記載の振動検知装置。
【請求項７】
前記磁気感知手段によって感知された前記磁場の変化に基づいて、充電状態と給電状態とに切り換えられる二次電池を備えた
ことを特徴とする請求項１〜６の何れかに記載の振動検知装置。
【請求項８】
前記請求項１〜７の何れかに記載の振動検知装置を備え、
さらに、前記磁気感知手段によって感知された前記磁場の変化に基づいて発光あるいは点滅する発光手段と、前記磁気感知手段によって感知された前記磁場の変化に基づいて音を発生する音発生手段との少なくとも一方を備えた置物であり、
前記置物はこけしであり、
前記こけしは、中空の胴体を有し、
前記胴体の内部には、前記振動検知装置と、前記発光手段と、前記発光手段に給電するための電池とが配されている
ことを特徴とする置物。
【請求項９】
前記請求項１〜７の何れかに記載の振動検知装置を備え、
さらに、前記磁気感知手段によって感知された前記磁場の変化に基づいて音を発生する音発生手段を備えた
ことを特徴とする風鈴。
【請求項１０】
前記請求項１〜７の何れかに記載の振動検知装置を備え、
さらに、前記磁気感知手段によって感知された前記磁場の変化に基づいて発光あるいは点滅する発光手段と、前記磁気感知手段によって感知された前記磁場の変化に基づいて音を発生する音発生手段との少なくとも一方を備えた
ことを特徴とする警報機。
【請求項１１】
地震などによる振動を検知するようにした振動検知方法において、
前記振動によって、一対の磁石を相対的に移動させることで、前記一対の磁石により作られる磁場を変化させ、
前記磁場の変化を磁気感知手段により感知する
ことを特徴とする振動検知方法。
【発明の詳細な説明】
【０００１】
【発明の属する技術分野】
本発明は、地震などによる振動を検知するようにした振動検知装置に関する。また、振動検知装置を備えた置物、風鈴、警報機および振動監視装置に関する。
【０００２】
【従来の技術】
従来この種の振動検知装置としては、磁石を撚り糸によって吊り下げ、吊り下げられた磁石の下側に球面皿を配置し、球面皿に複数の磁気感知スイッチを配置し、各磁気感知スイッチを磁石から略水平方向に一定半径距離の位置になるようにし、磁石の真下に相当する球面皿の中央に鉄製ボルトを嵌め込み、振動で振り子の動作をする磁石がいずれかの磁気感知スイッチに近接すると、その磁気感知スイッチがオンして、地震検出信号を警報装置等に供給するようにしている（例えば、特許文献１参照。）。
【０００３】
また、ばね材の自由端部に磁石を固着し、磁石の対向位置に間隔をおいて磁性体およびリードスイッチを配し、地震動によりばね材が揺動し、磁石が磁性体に吸着することにより、リードスイッチと磁石とが近接して、リードスイッチを作動させるようにしている（例えば、特許文献２参照。）。
【０００４】
さらに、受板の上面を球状凹面に形成し、球状凹面の中心位置に窪みを形成し、その窪みに載置された球体が一定以上の震度で球状凹面上を移動するようにし、受板を非磁性体とする一方、球体を磁性体とし、窪みに載置された球体を間にして上方位置に磁性体、下方位置に永久磁石をそれぞれ配し、磁性体からリードスイッチへ磁性体を延ばし、磁石からリードスイッチへ磁性体を延ばし、永久磁石、磁性体、球体および磁性体により磁気回路を構成し、磁気回路でリードスイッチを作動させるようにしている（例えば、特許文献３参照。）。
【０００５】
さらに、釣鐘状の振り子を備え、円周帯形状の鉄部および、同じく円周帯形状の通電部が振り子の外周を形成し、振り子内に中心軸を配し、中心軸をスプリングで振り子の天井部に吊し、中心軸に軸中心を同心とする円形の接点と同じく円形の磁石とをそれぞれ固設し、地震などで、振り子および中心軸が共に振れて、振り子の鉄部に中心軸の磁石に吸い寄せられるとともに、振り子の通電部に中心軸の接点が接して、ランプを点灯するようにしている（例えば、特許文献４参照。）。
【０００６】
さらに、振り子の動作をする磁石と、リードスイッチとを備え、磁性合金リードをリードスイッチの接点の一方から磁石の下方に延ばし、所定以下の震度では、磁石が磁性合金リードから離間しないで、リードスイッチがオンに維持され、震度が所定値以上になると、磁石を磁性合金リードから離そうとする力が、磁石の吸引力より大きくなって、瞬時に磁石２０が離反し、リードスイッチがオフになり、それにより、報知手段が光や音を発生するようにしているものがある（例えば、特許文献５参照。）。
【０００７】
【特許文献１】
特開２００１−２６４１５４号公報
【特許文献２】
特開平１１−２０４０００号公報
【特許文献３】
特開平１０−９５６７号公報
【特許文献４】
特開平９−２７２５７号公報
【特許文献５】
特開平９−２１６９６号公報
【０００８】
【発明が解決しようとする課題】
しかしながら、このような従来の振動検知装置では、次のような問題点があった。すなわち、特許文献１の技術では、磁石から略水平方向に一定半径距離の位置になるように複数の磁気感知スイッチを球面皿に配置しているので、多くの磁気感知スイッチが必要になって、部品コストを低減する際の支障になり、また、地震をより確実に検出するために、磁気感知スイッチの配置されるピッチを細かくすると、多くの磁気感知スイッチを必要とし、部品コストが嵩むという問題点があった。
【０００９】
また、特許文献２の技術では、ばね材の自由端部が磁性体の方へ揺動することを予定していて、ばね材の自由端部に固着される磁石の振れに方向性があり、ばね材の自由端部を磁性体の方向へ揺動させない地震動では、磁石が磁性体に吸着せずに、リードスイッチと磁石とが十分に近接しないで、リードスイッチを作動させない場合が生じ、地震動を検知する際の確実性を上げるために、改良の余地があるという問題点があった。
【００１０】
さらに、特許文献３の技術では、リードスイッチを作動させるための磁気回路の構成が複雑で、部品点数も多く、コストを低減する際の支障になるという問題点があった。
【００１１】
さらに、特許文献４の技術では、円周帯形状の通電部と中心軸の接点との間の隙間が広ければ、振り子や中心軸の振れが大きくなり、振り子の通電部に中心軸の接点が接しないので、地震などに対する感度が低くなる。一方、円周帯形状の通電部と中心軸の接点との間の隙間が狭ければ、振り子や中心軸の振れが小さくても、振り子の通電部に中心軸の接点が接するので、地震などに対する感度が高くなる。しかしながら、日常生活の中の振動においても、振り子の通電部に中心軸の接点が接してしまう場合があり、地震などを確実に検知することが難しいという問題点があった。
【００１２】
さらに、特許文献５の技術では、針金形状の一般的な磁性合金リードにおいて、その磁性合金リードに対する磁石の吸引力は小さく、低い震度の地震であっても、磁石を磁性合金リードから離そうとする力が磁石の吸引力より大きければ、磁石が磁性合金リードから離れて、報知手段が作動してしまうという問題点があった。また、地震が収まった後に、磁石がいつまでも振り子の動作をし続け、それにより、報知手段が作動し続けてしまうという問題点があった。
【００１３】
本発明は、このような従来の問題点に着目してなされたもので、振動によって一対の磁石が相対的に移動するとき、一対の磁石の作る磁場の変化を感知するようにして、検知すべき振動を確実に検知することができ、また、振動が収まったことを迅速に検知することができる振動検知装置を提供することを目的としている。
【００１４】
また、一対の磁石と磁気感知手段とによる簡単な構成にして、コストを低減することができる振動検知装置を提供することを目的としている。さらに、地震などの際に、その振動を光や音で知らせる警報手段として用いることができる置物を提供する。
さらに、振動による磁場の変化に基づいて音を発生するようにして、地震や人の出入り時の振動を音で知らせることができ、また、鳴り響く鐘などを不要にした斬新な構成にすることができる風鈴を提供する。
【００１５】
さらに、地震などによる振動を光や音で知らせることができる警報機を提供する。さらに、振動検知装置の設置されている所とは別の場所から振動を知ることができる警報機を提供し、さらに、振動検知装置の設置されている所とは別の場所から振動を監視することができる振動監視装置を提供する。
【００１６】
【課題を解決するための手段】
かかる目的を達成するための本発明の要旨とするところは、次の各項の発明に存する。
［１］地震などによる振動を検知するようにした振動検知装置（２０）において、
前記振動によって相対的に移動するように配された一対の磁石（２６、２７）と、該一対の磁石（２６、２７）によって作られる磁場の変化を感知する磁気感知手段（２８）とを備えた
ことを特徴とする振動検知装置（２０）。
【００１７】
［２］地震などによる振動を検知するようにした振動検知装置（２０）において、
互いに近接した状態になるように配された一対の磁石（２６、２７）と、該一対の磁石（２６、２７）によって作られる磁場の変化を感知する磁気感知手段（２８）とを備え、
前記一対の磁石（２６、２７）は、該一対の磁石（２６、２７）の吸引力に抗する振動によって、前記近接した状態から相対的に移動するように配されている
ことを特徴とする振動検知装置（２０）。
【００１８】
［３］前記一対の磁石（２６、２７）の少なくとも一方は、前記振動によって振り子の動作をするように配されている
ことを特徴とする［１］または［２］に記載の振動検知装置（２０）。
【００１９】
［４］前記一対の磁石（２６、２７）の一方は、前記振動によって振り子の動作をするように配され、
前記一対の磁石（２６、２７）の他方は、前記振り子の動作における最下点の位置に下方から対応するように配され、
前記磁気感知手段（２８）は、前記一対の磁石（２６、２７）の他方の上方位置または下方位置に配されている
ことを特徴とする［１］または［２］に記載の振動検知装置（２０）。
【００２０】
［５］前記一対の磁石（２６、２７）の少なくとも一方は、前記振動によって逆さ振り子の動作または転動振り子の動作をするように配されている
ことを特徴とする［１］または［２］に記載の振動検知装置（２０）。
【００２１】
［６］前記一対の磁石（２６、２７）の少なくとも一方は、連結部材（２３）を介して前記振動検知装置（２０）の本体側に支持されており、
前記連結部材（２３）は、吊り部材（２３ａ）である
ことを特徴とする［１］〜［５］の何れかに記載の振動検知装置（２０）。
【００２２】
［７］前記磁気感知手段（２８）によって感知された前記磁場の変化に基づいて、充電状態と給電状態とに切り換えられる二次電池（４０）を備えた
ことを特徴とする［１］〜［６］の何れかに記載の振動検知装置（２０）。
【００２３】
［８］前記［１］〜［７］の何れかに記載の振動検知装置（２０）を備え、
さらに、前記磁気感知手段（２８）によって感知された前記磁場の変化に基づいて発光あるいは点滅する発光手段（３０）と、前記磁気感知手段（２８）によって感知された前記磁場の変化に基づいて音を発生する音発生手段との少なくとも一方を備えた置物であり、
前記置物（１０）はこけしであり、
前記こけしは、中空の胴体（１２）を有し、
前記胴体（１２）の内部には、前記振動検知装置（２０）と、前記発光手段（３０）と、前記発光手段（３０）に給電するための電池（４０）とが配されている
ことを特徴とする置物（１０）。
【００２４】
［９］前記［１］〜［７］の何れかに記載の振動検知装置（２０）を備え、
さらに、前記磁気感知手段（２８）によって感知された前記磁場の変化に基づいて音を発生する音発生手段を備えた
ことを特徴とする風鈴。
【００２５】
［１０］前記［１］〜［７］の何れかに記載の振動検知装置（２０）を備え、
さらに、前記磁気感知手段（２８）によって感知された前記磁場の変化に基づいて発光あるいは点滅する発光手段（３０）と、前記磁気感知手段（２８）によって感知された前記磁場の変化に基づいて音を発生する音発生手段との少なくとも一方を備えた
ことを特徴とする警報機（６０）。
【００２６】
［１１］地震などによる振動を検知するようにした振動検知方法において、
前記振動によって、一対の磁石（２６、２７）を相対的に移動させることで、前記一対の磁石（２６、２７）により作られる磁場を変化させ、
前記磁場の変化を磁気感知手段（２８）により感知する
ことを特徴とする振動検知方法。
【００２７】
前述した振動検知装置（２０）は次のように作動する。
地震などの振動によって、一対の磁石（２６、２７）が相対的に移動すると、一対の磁石（２６、２７）の距離や位置関係が変わって、一対の磁石（２６、２７）によって作られる磁場は変化する。その磁場の変化を磁気感知手段（２８）が感知する。それにより、振動を確実に検知することができる。
【００２８】
振動によって一対の磁石（２６、２７）を相対的に移動させるものであるが、一対の磁石（２６、２７）を共に移動させてもよく、一対の磁石（２６、２７）の一方を移動させ、他方の磁石（２７）を固定するようにしてもよい。
【００２９】
一対の磁石（２６、２７）は、互いに近接しているとき、一対の磁石（２６、２７）の吸引力によって互いに近接した状態に保持されている。したがって、その吸引力に抗し得ない状態の振動が生じた場合に、一対の磁石（２６、２７）は、その吸引力によって互いに近接した状態に保持されていて、相対的に移動しようとしない。それにより、磁場の変化はなく、磁場の変化のないことを磁気感知手段（２８）が感知し、振動が検知されない。
【００３０】
一対の磁石（２６、２７）の吸引力に抗する振動によって、一対の磁石（２６、２７）は相対的に移動し、磁場の変化があったことを磁気感知手段（２８）が感知する。それによって、検出すべき振動を確実に検知することができる。
【００３１】
一対の磁石（２６、２７）の少なくとも一方は、一対の磁石（２６、２７）の他方に対して相対的に移動した状態から近接した状態に戻るようになっている。発生した振動が検出する必要のない状態に収まったとき、例えば、一方の磁石（２６）が他方の磁石（２７）に近接した状態に戻ると、一対の磁石（２６、２７）の吸引力によって、一方の磁石（２６）は近接した状態に即座に保持される。磁場が変化しないことを磁気感知手段（２８）が感知することで、振動が収まったことを迅速に検知することができる。
【００３２】
一対の磁石（２６、２７）の少なくとも一方を、一対の磁石（２６、２７）の他方に対して相対的に移動した状態から近接した状態に戻すためには、磁石を近接した状態に戻す方向へ付勢する付勢手段を用いてもよい。また、磁石が相対的に移動した状態から斜面を下って近接した状態に戻るように、斜面や磁石の自重を用いてもよい。
【００３３】
また、一対の磁石（２６、２７）の少なくとも一方は、振動によって振り子の動作をするようにしてもよい。それにより、磁石は、周期的に近接した状態に戻るようになる。磁石が近接した状態に戻ったときに、振動が吸引力に抗し得ない状態に収まっている場合に、一対の磁石（２６、２７）の吸引力により、近接した状態に戻った磁石は、即座に保持されるようになる。振動によって磁石が振り子の動作をすることで、付勢手段や斜面などの構成が不要になる。
【００３４】
一対の磁石（２６、２７）の一方が振り子の動作をするように配されている場合に、他方の磁石（２７）をその振り子の動作における最下点の位置に対応するように配することができる。一方の磁石（２６）が最下点に戻ったときに、他方の磁石（２７）に近接し、一対の磁石（２６、２７）の吸引力が最も大きくなる。したがって、一方の磁石（２６）は最下点に戻ったときに最も大きな力で保持されるようになる。
【００３５】
すなわち、振動がこの大きな吸引力に抗し得る状態になったときに、一方の磁石（２６）は最下点から移動し、振動がその大きな吸引力に抗し得ない状態に収まったときに、一方の磁石（２６）は、即座に最下点に保持されるようになる。
【００３６】
一対の磁石（２６、２７）の他方が振り子の動作における最下点の位置に下方から対応するように配され、磁気感知手段（２８）が一対の磁石（２６、２７）の他方の上方位置または下方位置に配されているものでは、一方の磁石（２６）が最下点にあるとき、一対の磁石（２６、２７）によって作られる磁場が磁気感知手段（２８）に作用し、振動によって一方の磁石（２６）が最下点から移動したとき、主に他方の磁石（２７）によって作られる磁場が磁気感知手段（２８）に作用する。すなわち、一方の磁石（２６）が最下点にあるか否かで、磁気感知手段（２８）に作用する磁場が大きく変化し、磁気感知手段（２８）が磁場の変化を容易に感知することができる。
【００３７】
また、一対の磁石（２６、２７）の少なくとも一方が、連結部材（２３）を介して振動検知装置（２０）の本体側に支持されているものでは、連結部材（２３）の断面形状や弾性係数によって、連結部材（２３）の撓み方に大きく影響し、少なくとも一方の磁石（２６）が振り子の動作をするものにおいては、その振り子の動作の振幅に大きく影響する。
【００３８】
すなわち、連結部材（２３）の断面形状や弾性係数を適宜設定することで、振り子の動作の振幅が適度なものになり、振動によって、少なくとも一方の磁石（２６）が他方の磁石（２７）に対して相対的に適度な距離だけ移動し、一対の磁石（２６、２７）によって作られる磁場の変化が顕著なものになり、振動を確実に検知することができる。
【００３９】
連結部材（２３）が吊り部材（２３ａ）であるものでは、一方の磁石（２６）が振り子の動作をする方向に制約がなく、磁気感知手段（２８）は全方向への振り子の動作を検知することができる。また、この振動検知装置（２０）を置物（１０）に備えておけば、転倒する方向に制約がなく、全方向の転倒を検知することができる。また、吊り部材（２３ａ）の長さを変えれば、一対の磁石（２６、２７）の間の間隔を変えることができる。その間隔を狭くすれば、一対の磁石（２６、２７）の吸引力が大きくなり、その間隔を広くすれば、吸引力は小さくなる。
【００４０】
このように、吊り部材（２３ａ）の長さを変えて、吸引力を調整することで、その吸引力に抗して、一対の磁石（２６、２７）を近接した状態から相対的に移動させる振動の程度を調整することができる。また、吊り部材（２３ａ）の長さを変えることで、振り子の動作の周期を調整することができる。
【００４１】
また、吊り部材（２３ａ）が弾性部材（２３ｂ）であるものでは、磁石を上下方向に動作させるような振動が生じると、磁石が弾性部材（２３ｂ）を伸縮させ、弾性部材（２３ｂ）の復元力で、磁石は上下方向に往復移動するようになる。それにより、一対の磁石（２６、２７）によって作られる磁場が変化し、振動を確実に検知することができる。
【００４２】
一対の磁石（２６、２７）の少なくとも一方が、転動振り子の動作をするように配されているものでは、一方の磁石（２６）が他方の磁石（２７）に近接した状態にあるとき、一対の磁石（２６、２７）の吸引力に抗する振動によって、少なくとも一方の磁石（２６）は、他方の磁石（２７）に対して転がるようになる。それにより、一対の磁石（２６、２７）が近接した状態から相対的に移動し、一対の磁石（２６、２７）によって作られる磁場が変化し、振動を検知することができる。また、転動振り子の動作をするように磁石を形成すれば、磁石を連結したり吊したりする部材を用いることなく、磁石が振り子の動作をするので、部品点数を削減することができる。
【００４３】
一対の磁石（２６、２７）の一方を振動によって逆さ振り子の動作をするように配することもできる。一方の磁石（２６）がこのように配される場合に、一対の磁石（２６、２７）の他方を逆さ振り子の動作における最上点の位置に対応するように配することができる。
【００４４】
振動によって一方の磁石（２６）が逆さ振り子の動作をしているとき、一方の磁石（２６）が最上点に戻ったときに、他方の磁石（２７）に近接し、一対の磁石（２６、２７）の吸引力が最も大きくなる。したがって、一方の磁石（２６）は最上点に戻ったときに最も大きな力で保持されるようになる。
【００４５】
すなわち、振動がこの大きな吸引力に抗し得る状態になったときに、一方の磁石（２６）は最上点から移動し、振動がその大きな吸引力に抗し得ない状態に収まったときに、一方の磁石（２６）は、即座に最上点に保持されるようになる。
【００４６】
一対の磁石（２６、２７）の他方が逆さ振り子の動作における最上点の位置に上方から対応するように配され、磁気感知手段（２８）が、一対の磁石（２６、２７）の他方の上方位置または下方位置に配されているものでは、一方の磁石（２６）が最上点にあるとき、一対の磁石（２６、２７）によって作られる磁場が磁気感知手段（２８）に作用し、振動によって一方の磁石（２６）が最上点から移動したとき、主に他方の磁石（２７）によって作られる磁場が磁気感知手段（２８）に作用する。すなわち、一方の磁石（２６）が最上点にあるか否かで、磁気感知手段（２８）に作用する磁場が大きく変化し、磁気感知手段（２８）が磁場の変化を容易に感知することができる。
【００４７】
このような振動検知装置（２０）を備えた置物（１０）では、地震などの際に、警報手段として用いることができる。すなわち、通常時、一対の磁石（２６、２７）が相対的に移動しないので、一対の磁石（２６、２７）によって作られる磁場が変化しない。磁気感知手段（２８）は磁場の変化の生じていないことを感知し、発光手段（３０）は発光したり、点滅したりしない。あるいは、音発生手段は音を発生しない。
【００４８】
地震などの際に、その振動によって、一対の磁石（２６、２７）が相対的に移動して、磁場の変化が生じ、磁気感知手段（２８）が磁場の変化を感知し、それに基づいて発光手段（３０）が発光したり、点滅したりする。あるいは、音発生手段が音を発生する。それによって、置物（１０）は、振動を検知することができる。
【００４９】
一対の磁石（２６、２７）が近接した状態になったときに、発光手段（３０）が滅灯し、一対の磁石（２６、２７）が相対的に移動したときに発光手段（３０）が発光するようにしてもよい。あるいは、音発生手段が音を発生するようにしてもよい。
【００５０】
また、振動が継続している間、発光手段（３０）が発光し続けたり、点滅し続けたり、あるいは、音発生手段が音を発生し続けるようにしてもよい。さらに、振動によって置物（１０）が転倒したり、大きく傾いたりして、一対の磁石（２６、２７）が相対的に移動した状態から近接した状態に戻らない場合に、発光手段（３０）が発光し続けるようにしてもよく、点滅し続けるようにしてもよい。また、音発生手段が音を発生し続けるようにしてもよい。
【００５１】
一方、振動が収まると、再び、一対の磁石（２６、２７）によって作られる磁場が変化しないようになり、磁場が変化しないことを磁気感知手段（２８）が感知し、それに基づいて、発光手段（３０）が発光しないようになり、あるいは、点滅しないようになる。また、音発生手段が音を発生しないようになる。
【００５２】
前述する振動検知装置（２０）は、置物（１０）以外のものに装備することができる。例えば、振動検知装置（２０）を備えた風鈴では、地震や風などによる振動が、一対の磁石（２６、２７）の吸引力に抗して、一対の磁石（２６、２７）を近接した状態から相対的に移動させるようになる。それにより、一対の磁石（２６、２７）によって作られる磁場が変化し、磁気感知手段（２８）によって感知された磁場の変化に基づいて、音発生手段が音を発生する。また、風鈴を出入口のドアなどに取り付けて、人の出入時の振動を音で知らせるようにしてもよい。さらに、音発生手段の音量を変えるようにしてもよい。
【００５３】
一対の磁石（２６、２７）が近接した状態から相対的に移動したときに、音を発生するようにしてもよい。また、風による振動が継続している間、音を発生するようにしてもよい。さらに、風によって揺れるように磁石自体を形成してもよく、風によって揺れる部材に磁石を設けるようにしてもよい。
【００５４】
次に、振動検知装置（２０）を備えた警報機（６０）では、磁気感知手段（２８）によって感知された磁場の変化に基づいて発光手段（３０）が発光しあるいは点滅し、または、音発生手段が音を発生する。それによって、地震などによる振動を光や音で知らせることができる。また、この警報機（６０）を立ち入りを防止したい場所に置いて、侵入者が警報機（６０）を振動させたり倒したりすると、音を発生することで、侵入者の存在を知らせることができる。
【００５５】
風鈴や警報機（６０）に備えられる音発生手段が複数種類の音を発生するようにしてもよい。複数種類の音の中から所望の音で警報機（６０）や風鈴を鳴らせることができるので、音色、音質、音の強さ、音の高さなどの互いに異なる複数種類の音の中から、使用者の好みにあった音を発生することができる。
【００５６】
この音発生手段や発光手段（３０）を振動検知装置（２０）の本体と別の場所に配しておけば、振動を検知した振動検知装置の所から遠隔した場所でその振動を、音発生手段の音や発光手段（３０）の発光あるいは点滅によって知ることができる。
【００５７】
【発明の実施の形態】
以下、図面に基づき本発明の各種実施の形態を説明する。
図１〜図４は本発明の第１実施の形態を示している。
図１は、振動検知装置を備えた置物の正面図であって、置物の本体を破断してその内部を見せた図である。また、図２は振動検知装置の回路図である。
【００５８】
図１および図２に示すように、本実施の形態に係る振動検知装置２０は、地震などによる振動を検知するようにしたものである。振動検知装置２０は、振動によって相対的に移動するように配された一対の磁石２６、２７と、一対の磁石２６、２７によって作られる磁場の変化を感知するリードスイッチである磁気感知手段２８とを備えている。
【００５９】
また、置物１０は、磁気感知手段２８によって感知された磁場の変化に基づいて発光あるいは点滅する発光手段３０を備えている。この置物１０は、発光手段３０と併せて、音発生手段を備えてもよく、あるいは、発光手段１０の代わりに音発生手段を備えてもよい。
【００６０】
置物１０はこけしである。こけしは、頭部１１と中空の胴体１２を有している。胴体１２の内部１２ａには、振動検知装置２０と、発光手段３０と、その発光手段３０に給電するための電池４０とが配されている。
【００６１】
胴体１２は、胴体１２の下方から胴体１２の内部１２ａに、電池４０、振動検知装置２０および、発光手段３０を出し入れするための出入口１３を有している。発光手段３０および電池４０は振動検知装置２０の本体２１に支持されている。
【００６２】
振動検知装置２０の本体２１は、一対の支柱２１ａと、上部取付板２１ｂと、下部取付板２１ｃとから成る枠体である。各支柱２１ａは、胴体１２の内壁に沿って立設されている。上部取付板２１ｂは、一対の支柱２１ａの上端部の間に架設されている。また、下部取付板２１ｃは、一対の支柱２１ａの下端部の間に架設されている。
【００６３】
さらに、一対の支柱２１ａの上端の間には電池取付板２１ｄが架設され、一対の支柱２１ａの下端の間にはＬＥＤランプ取付板２１ｅが架設されている。電池取付板２１ｄおよびＬＥＤランプ取付板２１ｅは、枠体の一部であり、枠体を補強している。振動検知装置２０の本体２１を収納ケースのように形成してもよい。
【００６４】
ＬＥＤランプである発光手段３０は、胴体１２の内部１２ａの出入口１３側に配されている。発光手段３０は、出入口１３を通して外部へ発光するように振動検知装置２０の本体２１のＬＥＤランプ取付板２１ｅの下面側に取り付けられている。胴体１２の出入口１３には、光拡散レンズ５１が嵌め込まれている。
【００６５】
また、胴体１２の出入口１３には、押えリング５２が嵌め込まれている。さらに、胴体１２の出入口１３の内周縁には凹溝１３ａが形成され、その凹溝１３ａに押えスプリング５３が弾撥的に嵌め込まれている。
【００６６】
押えスプリング５３は、振動検知装置２０、発光手段３０および電池４０の一体化されたものを胴体１２の内部１２ａから脱落させないように、光拡散レンズ５１および押えリング５２を介して振動検知装置２０の本体２１のＬＥＤランプ取付板２１ｅに下方から当接している。
【００６７】
電池４０は、胴体１２の内部１２ａの奥側に配されている。電池４０はホルダー４１および、電池取付金具４２を介して、振動検知装置２０の本体２１の電池取付板２１ｄに支持されている。すなわち、振動検知装置２０の本体２１に、発光手段３０および電池４０が取り付けられ、胴体１２の内部１２ａ内の振動検知装置２０、発光手段３０および電池４０は一体的に出入口１３を通して出し入れできるように構成されている。
【００６８】
一対の磁石２６、２７は、互いに近接した状態になるように配されている。また、一対の磁石２６、２７は、一対の磁石２６、２７の吸引力に抗する振動によって、近接した状態から相対的に移動するように支持されている。
【００６９】
一対の磁石２６、２７の少なくとも一方は、振動によって振り子の動作をするように配されている。本実施の形態では、一方の磁石２６が振り子の動作をするように配され、他方の磁石２７が振り子の動作における最下点の位置に対応するように配されている。さらに、他方の磁石２７が最下点の位置に下方から対応するように配されている。
【００７０】
リードスイッチである磁気感知手段２８は、他方の磁石２７の下方位置に配されている。磁気感知手段２８は、他方の磁石２７の上方位置、すなわち、互いに近接した状態にある一方の磁石２６と他方の磁石２７との間に配されていてもよい。
【００７１】
一方の磁石２６は、連結部材２３を介して振動検知装置２０の本体２１の上部取付板２１ｂに固定用ネジ２４で支持されている。一方の磁石２６は、錘である振り子２５の下面に固着されている。連結部材２３は、吊り部材２３ａである。吊り部材２３ａには、ピアノ線の他に、ナイロンなどの繊維、棒状の金属材や樹脂材で製作したものでもよい。振動検知装置２０の本体２１は、一方の磁石２６の振り子の動作を可能にする内部空間を有している。
【００７２】
他方の磁石２７は、振動検知装置２０の本体２１の下部取付板２１ｃの上面側に固設されている。また、磁気感知手段２８は、下部取付板２１ｃの下面側に固設されている。図１および図２に示すように、振動検知装置２０の回路は、磁気感知手段２８、発光手段３０、中継接続端子３１、電池４０および抵抗Ｒ１を直列に接続して成る。この振動検知装置２０の回路においては、磁気感知手段２８と発光手段３０とが単に直列に接続されているので、磁気感知手段２８の舌片２８ａ同士が接触した状態である作動状態で発光手段３０が発光し、磁気感知手段２８の舌片同士が非接触の状態である非作動状態で発光手段３０が滅灯する。すなわち、磁気感知手段２８が作動状態と非作動状態とを繰り返せば、発光手段３０が点滅するように成っている。
【００７３】
次に、置物１０の組立について説明する。振動検知装置２０の本体２１に発光手段３０および電池４０を取り付け、振動検知装置２０、発光手段３０および電池４０を一体的に扱うことができるようにしておく。それには、振動検知装置２０の本体２１のＬＥＤランプ取付板２１ｅに発光手段３０を支持しておく。また、振動検知装置２０の本体２１の電池取付板２１ｄに電池取付金具４２を介して支持されたホルダー４１に電池４０をセットしておく。さらに、振動検知装置２０の回路もその本体２１に配索しておく。
【００７４】
このように、一体的に扱うことができる振動検知装置２０、発光手段３０および電池４０を、こけしの置物１０の胴体１２の内部１２ａに装着すれば、振動検出装置２０などを外部から隠すことができる。この置物１０の外観は、通常のこけしの置物１０の外観と異なることがなく、見栄えがよい。
【００７５】
電池４０の交換作業や振動検知装置２０の保守点検作業は次のように行われる。すなわち、押えスプリング５３を凹溝１３ａから外すと、光拡散レンズ５１および押えリング５２を胴体１２の出入口１３から抜くことができ、次に、一体的に扱うことが可能な振動検知装置２０、発光手段３０および電池４０を、胴体１２の出入口１３に通して、胴体１２の内部１２ａから抜くことができる。振動検知装置２０等を一体的に抜き出した後に、必要により、新たな電池４０をホルダー４１にセットする。また、振動検知装置２０および発光手段３０を保守点検する。
【００７６】
電池４０の交換や振動検知装置２０の保守点検をしたならば、一体的に扱うことが可能な振動検知装置２０、発光手段３０および電池４０を、電池４０の方から、出入口１３に通して、胴体１２の内部１２ａに挿入する。次に、光拡散レンズ５１および押えリング５２を胴体１２の出入口１３に嵌め込み、押えスプリング５３を凹溝１３ａに嵌め込む。
【００７７】
押えスプリング５３を嵌め込むことによって、振動検知装置２０、発光手段３０および電池４０を、胴体１２の内部１２ａから抜くことが不能になる。このようにして、電池交換作業や保守点検作業時に、振動検知装置２０、発光手段３０および電池４０を一体的に扱うことができるので、電池交換等の作業性がよくなる。
【００７８】
次に、振動によって置物１０がどのようになるかを説明する。
電池４０を胴体１２の内部１２ａの奥側に配したので、置物１０の重心が上方位置になり、検知すべき所定の振動によって置物１０は転倒し易く、また、大きく傾き易くなる。しかしながら、この置物１０は、多少の振動では、転倒したり、大きく傾いたりはしない。
【００７９】
多少の振動では、一対の磁石２６、２７の吸引力によって、一方の磁石２６は他方の磁石２７に近接した状態に保持されているからである。このとき、一対の磁石２６、２７によって作られる磁場は変化しない。一対の磁石２６、２７の吸引力に抗する地震などの振動によって、置物１０は転倒したり、大きく傾いたりする。このとき、一方の磁石２６が振り子の動作を行い、一対の磁石２６、２７によって作られる磁場が変化する。本振動検知装置２０においては、連結部材２３を吊り部材２３ａにしたので、一方の磁石２６が振り子の動作をする方向に制約がなく、磁気感知手段２８は全方向への振り子の動作を検知することができる。また、この振動検知装置２０を備えた置物１０においては、転倒する方向に制約がなく、全方向の転倒を検知することができる。
【００８０】
図３および図４を用いて、一対の磁石２６、２７によって作られる磁場と、磁気感知手段２８との位置関係を説明する。図３は、一対の磁石と磁気感知手段との位置関係を概念的に示した正面図である。図４は、一対の磁石が近接した状態にあるときの概念図（ａ）および、一対の磁石が相対的に移動した状態にあるときの概念図（ｂ）である。図３および図４においては、互いに近接した状態にある一方の磁石２６と他方の磁石２７との間にリードスイッチである磁気感知手段２８が配されている。磁気感知手段２８の配置は、図３および図４におけるものと、図１におけるものとで異なるが、磁気感知手段２８の作動は、図３および図４においても、また図１においても同じである。すなわち、一対の磁石２６、２７によって作られる磁場の変化で、磁気感知手段２８が作動状態あるいは非作動状態になる態様は、図３および図４においても、また図１においても同じになっている。
【００８１】
図３に、一方の磁石２６を実線で示したように、一方の磁石２６は最下点の位置にあって、一対の磁石２６、２７は近接した状態にあり、一方の磁石２６は、他方の磁石２７および磁気感知手段２８の上方に位置している。通常時、置物１０が直立した状態に置かれているとき、一方の磁石２６は、この実線で示す状態になっている。
【００８２】
また、図３に、一方の磁石２６を想像線で示したように、一方の磁石２６は最下点から移動し、一対の磁石２６、２７は相対的に移動した状態にあり、一方の磁石２６は、他方の磁石２７および磁気感知手段２８の上方から離れて位置している。振動によって置物１０が転倒したり、大きく傾いたりした状態では、一方の磁石２６は、この想像線で示す状態になっている。
【００８３】
図４（ａ）に示すように、置物１０が直立した状態では、一方の磁石２６は、他方の磁石２７および磁気感知手段２８の上方に位置している状態（図３で一方の磁石２６を実線で示した状態）であり、磁気感知手段２８は一対の磁石２６、２７によって作られる磁場に大きく影響される。
【００８４】
一対の磁石２６、２７によって作られる磁場において、その磁力線の方向は、一方の磁石２６のＮ極から他方の磁石２７のＳ極に向かう方向および、他方の磁石２７のＮ極から一方の磁石２６のＳ極に向かう方向であって、リードスイッチである磁気感知手段２８の各舌片２８ａをそれぞれ横断する方向になっている。それにより、磁気感知手段２８は、各舌片２８ａが互いに接触しない状態である非作動状態になる。
【００８５】
図４（ｂ）に示すように、置物１０が転倒したり、大きく傾いたりした状態では、一方の磁石２６は、他方の磁石２７および磁気感知手段２８の上方から離れて位置している状態（図３で一方の磁石２６を想像線で示した状態）であり、磁気感知手段２８は主に他方の磁石２７によって作られる磁場に影響される。
【００８６】
一方の磁石２７によって作られる磁場において、その磁力線の方向は、他方の磁石２７のＮ極から他方の磁石２７のＳ極へ向かう方向であり、リードスイッチである磁気感知手段２８の各舌片２８ａに沿う方向になっている。それにより、磁気感知手段２８は、各舌片２８ａが互いに接触した状態である作動状態になる。
【００８７】
次に、置物１０が転動したり、大きく傾いたりしたときに、その置物１０によってどのようなことができるかを説明する。
置物１０が転動したり、大きく傾いたりしたとき、置物１０の胴体１２の出入口１３が略水平方向に向くようになる。同時に、磁気感知手段２８が作動状態になって、発光手段３０が発光あるいは点滅する。発光手段３０は、出入口１３を通して外部へ発光するので、置物１０が転動したとき、置物１０の周囲に居る人は、出入口１３を通して発光手段３０の発光あるいは点滅を容易に確認することができる。
【００８８】
また、発光手段３０は、その周囲を照明するので、夜間の地震などの際にも、置物１０の周囲に居る人は、周囲の状況を正確に把握することができる。さらに、置物１０の胴体１２を持ち、置物１０の出入口１３を所定の場所に向けると、発光手段２０が出入口１３を通して所定の場所を照らすようになるので、置物１０を通常の懐中電灯のように取り扱うことができる。
【００８９】
また、この置物１０は、胴体１２の出入口１３に光拡散レンズ５１が嵌め込まれているので、塵埃などが胴体１２の内部１２ａへ侵入するのを防止することができ、また雨水などの浸入も防止することができる。
【００９０】
次に本発明の第２実施の形態を説明する。図５および図６は、本発明の第２実施の形態にかかる振動検知装置を概念的に表した正面図である。図５に示すように、一方の磁石２６は、逆さ振り子の動作をするように配されている。
【００９１】
他方の磁石２７は、逆さ振り子の動作における最上点の位置に対応するように配されている。さらに、他方の磁石２７は、最上点の位置に上方から対応するように配されている。リードスイッチである磁気感知手段２８は、他方の磁石２７の上方位置に配されている。
【００９２】
例えば、図５に示すように、振動検知装置２０の本体２１の下部取付板２１ｃに連結部材２３が立設され、連結部材２３の上端部に一方の磁石２６が支持されている。また、振動検知装置２０の本体２１の上部取付板２１ｂの下面側に他方の磁石２７が固設され、上部取付板２１ｂの上面側に磁気感知手段２８が配されている。このような振動検知装置２０では、一方の磁石２６は３６０度どの方向にも振れるようになる。したがって、一方の磁石２６の振れる方向に制約がなく、全方向への振れを検知することが可能である。連結部材２３には、弾性力を有する金属棒や樹脂棒が用いられる。
【００９３】
一方の磁石２６は、振動によって、他方の磁石２７に対し略水平方向に相対的に移動した状態と、他方の磁石２７に近接した状態との間の往復移動を繰り返すようになる。一方の磁石２６が相対的に移動した状態では、他方の磁石２７によって作られる磁場で、磁気感知手段２８が作動状態になり、一方の磁石２６が近接した状態では、一対の磁石２６、２７によって作られる磁場で、磁気感知手段２８が非作動状態になる。
【００９４】
また、例えば図６に示すように、一対の磁石２６、２７を各々が振り子の動作をするように配してもよい。このとき、磁気感知手段２８は、互いに近接した状態にある一対の磁石２６、２７の間の隙間に配されている。このように構成することで、振動によって、一対の磁石２６、２７のいずれか一方が、一対の磁石２６、２７の他方に対して相対的に移動すれば、一対の磁石２６、２７によって作られる磁場が変化するようになり、振動をより確実に検知することができる。
【００９５】
次に、本発明の第３実施の形態を説明する。図７は本発明の第３実施の形態にかかる振動検知装置を概念的に表した正面図である。図７に示すように、吊り部材２３ａは、弾性部材２３ｂになっている。例えば、一方の磁石２６は、弾性部材２３ｂを介して振動検知装置２０の本体２１の上部取付板２１ｂに支持されている。他方の磁石２７は振動検知装置２０の本体２１の支柱２１ａに固設されている。一方の磁石２６は、他方の磁石２７に水平方向から近接した状態になっている。他方の磁石２７を間にして一方の磁石２６と反対側には磁気感知手段２８が配されている。
【００９６】
この振動検知装置２０は、一方の磁石２６を上下方向に動作させるような振動を検知することができる。すなわち、振動によって、一方の磁石２６が上下動すると、弾性部材２３ｂを伸縮させ、弾性部材２３ｂの復元力によって、さらに、一方の磁石２６が上下動する。このようにして、一方の磁石２６は、他方の磁石２７に対し上下方向に相対的に移動した状態と、他方の磁石２７に近接した状態との間の往復移動を繰り返すようになる。一方の磁石２６が相対的に移動した状態では、他方の磁石２７によって作られる磁場で、磁気感知手段２８が作動状態になり、一方の磁石２６が近接した状態では、一対の磁石２６、２７によって作られる磁場で、磁気感知手段２８が非作動状態になる。
【００９７】
次に、本発明の第４実施の形態を説明する。図８は本発明の第４実施の形態にかかる振動検知装置を概念的に表した正面図である。図８に示すように、一方の磁石２６が転動振り子の動作をするように配されている。他方の磁石２７は下部取付板２１ｃに固設され、磁気感知手段２８は下部取付板２１ｃの下方に配されている。一方の磁石２６は、「ダルマ」の形に造った人形の底部に錘として内装されている。振動によって、一方の磁石２６は、人形と一体的に、他方の磁石２７を含む下部取付板２１ｃの上面を一方向に転動し、ある程度傾くと、反対の方向に転動する。また、一方の磁石２６は、３６０度どの方向にも転動可能である。したがって、一方の磁石２６の転動方向に制約がなく、全方向への転動を検知することが可能である。
【００９８】
一方の磁石２６は転動することによって、他方の磁石２７に対して、斜め上方方向に離れる方向に移動し、一対の磁石２６、２７によって作られる磁場が大きく変化し、磁気感知手段２８は、主に他方の磁石２７によって作られる磁場に影響される。
【００９９】
次に、本発明の第５実施の形態を説明する。図９は本発明の第５実施の形態に係る振動検知装置の磁気感知手段としてホール素子を用いて成る警報機の回路図である。図９に示すように、一対の磁石２６、２７によって作られる磁場の変化をホール素子である磁気感知手段２８が感知するようになっている。磁気感知手段２８は、一対の磁石２６、２７の下方に配されている。ホール素子は、ホール効果を用いて磁場を検出する素子である。ホール素子に電流を流し、その電流に直角に磁場を加えると、ホール素子は、電流と磁場の両方に直角に電圧を発生する。発生する電圧は磁場の強さ（磁束密度）に比例するから、電圧の変化に基づいて、ホール素子は磁場の変化を感知するものである。
【０１００】
この磁気感知手段２８が感知した磁場の変化は、入力信号検出回路８１で、信号として取り出され、信号出力回路８２から警報機６０、振動監視装置７０及び、保護装置８３に送信される。また、電源回路８４によって、磁気感知手段２８、入力信号検出回路８１、信号出力回路８２に電源が供給されている。
【０１０１】
警報機６０は、磁気感知手段２８によって感知された磁場の変化に基づいて発光あるいは点滅する発光手段３０と、磁気感知手段２８によって感知された磁場の変化に基づいて音を発生する音発生手段との少なくとも一方を備えている。すなわち、磁場の変化を信号として受信すると、その発光手段３０が発光あるいは点滅し、または、音発生手段が音を発生するようになる。
【０１０２】
また、振動監視装置７０は、磁気感知手段２８によって感知された磁場の変化に基づいて振動を監視するように構成されている。監視結果は、定期的に記録され、必要によりモニターの画面やプリンターによって出力される。
【０１０３】
さらに、警報機６０や振動監視装置７０を振動検知装置２０から離れた所定の場所に設置し、磁気感知手段２８によって感知される磁場の変化を信号として、振動検知装置２０から所定の場所に送信するようにすれば、所定の場所から振動の発生を知ることができ、また、振動発生の有無を監視することができる。
【０１０４】
なお、前記実施の形態においては、振動によって、一対の磁石２６、２７の少なくとも一方が振り子の動作をするようにしたものを示したが、一対の磁石２６、２７の少なくとも一方を、一対の磁石２６、２７の他方に対して相対的に移動した状態から近接した状態に戻るように配してもよい。
【０１０５】
例えば、一方の磁石２６をばね等の付勢手段により近接した状態に戻すように付勢してもよく、また、斜面を形成し、その斜面に沿って一方の磁石２６をその自重で転がすことにより、近接した状態に戻すようにしてもよい。
【０１０６】
また、実施の形態では、電池４０は一次電池であるが、磁気感知手段２８によって感知された磁場の変化に基づいて、充電状態と給電状態とに切り換えられる二次電池を備えるようにしてもよい。
【０１０７】
振動によって、一対の磁石２６、２７が相対的に移動し、一対の磁石２６、２７によって作られる磁場の変化を磁気感知手段２８が感知すると、二次電池は充電状態から給電状態に切り換わり、振動を知らせるための発光手段３０、その他の装置に給電する。発生した振動が収まったことを、磁場の変化として磁気感知手段２８が感知すると、二次電池は給電状態から充電状態に再び切り換わり、発光手段３０等への給電が停止する。
【０１０８】
また、電池は、太陽エネルギーを直接、電気エネルギーに変換する太陽電池であってもよい。電線ケーブルを引くことのできない野外などの場所に振動検知装置２０を設置する場合に、太陽電池は電源として有効な手段である。
【０１０９】
振動検知装置２０を風鈴に備えてもよい。この風鈴は、さらに、磁気感知手段２８によって感知された磁場の変化に基づいて音を発生する音発生手段を備えている。この風鈴を出入口のドア、門扉、シャッター、戸、襖、カーテンなど、人の出入りの際に触れる場所に取り付けておけば、人の出入りを風鈴の音で知らせることができる。
【０１１０】
警報機６０や風鈴の音発生手段は、複数種類の音を発生するものである。それにより、音色、音質、音の強さ、音の高さなどの互いに異なる複数種類の音の中から、使用者の好みにあった音を発生することができる。複数種類の音は、使用者が切り換えるようにしてもよく、また、磁場の変化に応じて、自動的に切り換えるようにしてもよい。
【０１１１】
また、警報機６０の音発生手段は、振動検知装置２０の本体２１とは別の場所に配されているようにしてもよい。それにより、振動検知装置２０の検知した振動をその振動検知装置２０から遠隔した場所で、音発生手段の音として知らせることができる。
【０１１２】
さらに、実施の形態では、一対の磁石２６、２７と、磁気感知手段２８とを備え、一対の磁石２６、２７によって作られる磁場の変化を磁気感知手段２８が感知することで、振動を検知する振動検知装置２０を示したが、電場の変化を感知することで振動を検知する振動検知装置であってもよい。
【０１１３】
その振動検知装置は、一対の帯電体と、電場感知手段とを備え、一対の帯電体の少なくとも一方は、振動によって一対の帯電体の他方に対して相対的に移動するように配され、電場感知手段は、一対の帯電体によって作られる電場の変化を感知するように配されている。
【０１１４】
このように、実施の形態に係る一対の磁石２６、２７を一対の帯電体に代え、磁気感知手段２８を電場感知手段に代えた振動検知装置は、前記第１実施の形態〜前記第５実施の形態に係る振動検知装置２０と同様の態様を採ることができる。
【０１１５】
【発明の効果】
本発明に係る振動検知装置によれば、一対の磁石と、磁気感知手段とを備えた簡単な構成にしたので、コストを低減することができ、また、振動によって一対の磁石を相対的に移動するように配し、一対の磁石によって作られる磁場の変化を磁気感知手段によって感知するようにしたので、振動を確実に検知することができる。
【０１１６】
また、一対の磁石が近接しているとき、一対の磁石がその吸引力によって近接した状態に保持され、その吸引力に抗する振動によって一対の磁石を互いに近接した状態から相対的に移動させるようにし、吸引力に抗しない振動によって一対の磁石を相対的に移動させないようにしたので、そのような吸引力に抗し得ない振動を検知する必要をなくし、検知する必要のある振動だけを検知することができる。
【０１１７】
さらに、一対の磁石の少なくとも一方が振動によって振り子の動作をするように配されているので、振り子の動作をする磁石が周期的に他方の磁石に近接した状態になり、磁石が近接した状態になったとき、振動が一対の磁石の吸引力に抗し得ない状態に収まっていると、一対の磁石の吸引力で磁石を近接した状態に即座に保持することができ、磁場が変化しないことを磁気感知手段が感知して、振動が収まったか否かを周期的に検知することができる。また、一方の磁石を相対的に移動した状態から近接した状態に戻す方向へ付勢するための付勢手段などを設ける必要がない。
【０１１８】
さらに、最下点の位置に他方の磁石を対応させ、その他方の磁石の上方位置または下方位置に磁気感知手段を配したので、一方の磁石が最下点にあるとき、一対の磁石によって作られる磁場が磁気感知手段に作用し、振動によって一方の磁石が最下点から移動したとき、主に他方の磁石によって作られる磁場が磁気感知手段に作用し、一方の磁石が最下点にあるか否かで、磁気感知手段に作用する磁場が大きく変化し、磁気感知手段が磁場の変化を容易に感知することができる。
【０１１９】
さらに、一対の磁石の少なくとも一方を逆さ振り子の動作をするようにしたので、一対の磁石の配置などを大幅に変更することができ、新たな構成の振動検知装置とすることができる。さらに、一対の磁石の少なくとも一方を転動振り子の動作をするようにしたので、連結部材や吊り部材などを用いる必要がなく、磁石を転動振り子の動作をするように形成すれば、振動によって、磁石が振り子の動作をするようになり、部品点数を削減し、コストを低減することができる。
【０１２０】
さらに、一対の磁石の少なくとも一方を連結部材を介して振動検知装置の本体側に支持したので、例えば、少なくとも一方の磁石が振り子の動作を行うものにおいて、連結部材の断面形状や弾性係数を適宜設定すれば、振り子の動作の振幅を適度なものにすることができ、振動による一対の磁石の相対的な移動量を適正なものにして、振動を確実に検知することができる。さらに、連結部材を吊り部材にしたので、一方の磁石が振り子の動作をする方向に制約がなく、磁気感知手段は全方向への振り子の動作を検知することができる。また、この振動検知装置を置物に備えておけば、転倒する方向に制約がなく、全方向の転倒を検知することができる。また、吊り部材の長さを調整することで、一対の磁石の間の距離が変わって、一対の磁石の吸引力を調整することができ、その吸引力に抗して一対の磁石を近接した状態から相対的に移動させる振動の程度を調整することができる。さらに、吊り部材の長さを変えることで、振り子の動作の周期を調整することができる。
【０１２１】
さらに、磁気感知手段によって感知された磁場の変化に基づいて、二次電池を充電状態と給電状態とに切り換えるようにしたので、二次電池を装着しておけば、長期間使用した場合にも、その二次電池を新たな電池と交換する必要がなく、使い勝手をよくすることができる。
【０１２２】
さらに、置物が転倒したり、大きく傾いたりする地震などの振動のときに、始めて、磁気感知手段によって感知された磁場の変化に基づいて発光手段が発光あるいは点滅し、または、音発生手段が音を発生するようにし、置物が転倒したり、大きく傾いたりしない振動のときは、発光手段が発光および点滅せず、また、音発生手段が音を発生しないので、必要なときだけ、その振動を確実に検知し、その振動を発光手段の発光あるいは点滅または音発生手段の音で知らせる警報手段として用いることができ、通常時は、置物として用いることができる。さらに、こけしの胴体の内部に、振動検知装置、発光手段および、発光手段に給電するための電池を配したので、振動検出装置などを外部から隠すことができて、見栄えがよい。こけしの置物は、和室、洋室、玄関フロア、ロビーなど、いずれの場所に置いてもその場に馴染んで、違和感がなく、また、可搬性を有しているので、旅行先や主張先に持って行くことができる。
【０１２３】
さらに、磁気感知手段によって感知された磁場の変化に基づいて風鈴の音発生手段から音を発生するようにしたので、地震や人の出入り時の振動を音で知らせることができ、また、相対的に移動する一対の磁石だけで、風鈴の音を発生しているように見え、鳴り響く鐘などを不要にした斬新な構成の風鈴にすることができる。
【０１２４】
さらに、磁気感知手段によって感知された磁場の変化に基づいて発光あるいは点滅する発光手段と、同じく磁気感知手段によって感知された磁場の変化に基づいて音を発生する音発生手段との少なくとも一方を備えたので、地震などによる振動を光や音で知らせることができる警報機にすることができる。
【図面の簡単な説明】
【図１】本発明の第１実施の形態に係る振動検知装置を備えた置物の正面図であって、置物の本体を破断してその内部を見せた図である。
【図２】本発明の第１実施の形態に係る振動検知装置の回路図である。
【図３】本発明の第１実施の形態に係る振動検知装置の一対の磁石と磁気感知手段との位置関係を概念的に示す正面図である。
【図４】本発明の第１実施の形態に係る振動検知装置において、一対の磁石が近接した状態にあるときの概念図（ａ）および、一対の磁石が相対的に移動した状態にあるときの概念図（ｂ）である。
【図５】本発明の第２実施の形態に係る振動検知装置を概念的に表した正面図である。
【図６】本発明の第２実施の形態に係る振動検知装置を概念的に表した正面図である。
【図７】本発明の第３実施の形態に係る振動検知装置を概念的に表した正面図である。
【図８】本発明の第４実施の形態に係る振動検知装置を概念的に表した正面図である。
【図９】本発明の第５実施の形態に係る振動検知装置の磁気感知手段としてホール素子を用いて成る警報機の回路図である。
【符号の説明】
Ｒ１…抵抗
１０…置物
１１…頭部
１２…胴体
１２ａ…内部
１３…出入口
１３ａ…凹溝
２０…振動検知装置
２１…本体
２１ａ…支柱
２１ｂ…上部取付板
２１ｃ…下部取付板
２１ｄ…電池取付板
２１ｅ…ＬＥＤランプ取付板
２３…連結部材
２３ａ…吊り部材
２３ｂ…弾性部材
２４…固定用ネジ
２５…振り子
２６…一方の磁石
２７…他方の磁石
２８…磁気感知手段
２８ａ…舌片
３０…発光手段
３１…中継接続端子
４０…電池
４１…ホルダー
４２…電池取付金具
５１…光拡散レンズ
５２…押えリング
５３…押えスプリング
６０…警報機
７０…振動監視装置
８１…入力信号検出回路
８２…信号出力回路
８３…保護装置
８４…電源回路
【図１】
2004163117.tif 000003
【図２】
2004163117.tif 000004
【図３】
2004163117.tif 000005
【図４】
2004163117.tif 000006
【図５】
2004163117.tif 000007
【図６】
2004163117.tif 000008
【図７】
2004163117.tif 000009
【図８】
2004163117.tif 000010
【図９】
2004163117.tif 000011